(57)【要約】【課題】装置構成がシンプルで製造コストを抑えることができ、多数枚のディスクを収納し、目的のディスクの選択と取り出すのにも便利な記憶媒体ディスク収納装置を提供する。【解決手段】複数の記憶媒体ディスクが上下の溝１５および１７により保持される。ディスクは溝内の傾斜を転がって溝の両端で停止するようになっており、目的の一枚を取り出すには、そのディスクの前面にあって障害となっているディスクを反対側に押し出し、そのことで目的のディスクの中心部の孔を確保し、その孔と外周部を指の腹で挟んで上方へ持ち上げれば、スリット３１、３２を通って容易に取り出すことができる。また、ディスクが通過する上下プレート間距離に障害となる可動式のストッパーを設け、ストッパーを作用させた状態では間違って装置を必要以上に傾斜させた場合でもディスクは装置から飛び出すことがない。ディスクはその記録面に触れることなく収納と取り出しができる。【選択図】図５
2009179393.tif 000002
【特許請求の範囲】
【請求項１】
複数の記憶媒体ディスク（以下単にディスクというときは同じ意味とする）を同軸状態で水平な軸方向へ微小の間隔をあけて整列させ収納する収納装置において、整列したディスクの外周の各々上下端を挟むように保持し、ディスクが独立して転がって移動できる溝をもつ上下のプレートで構成され、下溝をもつ下プレートの形状はディスクが下溝内で両端へ転がるよう中央部が高い頂部と、その頂部の両側には両端へ下降する傾斜部と、それに続く両端にはディスクの転がりを停止させディスクの外周を捕捉する湾曲部または立ち上がり部で形成され、この両端に停止したディスクの間隔はその軸間がディスクの半径以上あって片側端部に停止しているディスクの中心部の孔が他方の端部に停止しているディスクによって塞がれない位置関係をもち、上プレートに形成された上溝は下溝を転がるディスクを終始支持し、その両先端部は上プレートがないスリットになることで上下プレートの先端でのプレート間距離をディスクの直径以上にし、スリットを通してディスクの出し入れができることを特徴とする記憶媒体ディスク収納装置。
【請求項２】
前記収納装置は、上下プレートの片側端部において、上溝のスリットを廃し上下プレート間距離をディスクの直径以下とし、この端部からはディスクの取り出しができないようにし、他方の側の端部からのみディスクの出し入れをすることを特徴とする請求項１に記載の記憶媒体ディスク収納装置。
【請求項３】
前記収納装置は、筺体としディスクが取り出せる側の面を面下方の開閉軸により開閉する蓋部を有し、この蓋部の内面に、前記下プレート傾斜部の一部または全部、及び転がりを停止させるための湾曲部または立ち上がり部が形成されていることを特徴とする請求項１、および２に記載の記憶媒体ディスク収納装置。
【請求項４】
前記収納装置は、下プレートの先端部にハンドルを設け、このハンドルを押し下げることによりハンドルの反対側に停止しているディスクを保持している下プレートの傾斜を平坦あるいは下降傾斜にしてディスクの回転を促すことを特徴とする請求項１、および２に記載の記憶媒体ディスク収納装置。
【請求項５】
前記収納装置は、上下プレートの先端におけるプレート間距離を引き出し式や着脱式のストッパーでディスクの直径以下とすることで、ストッパー作用時はディスクが装置から出ないことを特徴とする請求項１、および２に記載の記憶媒体ディスク収納装置。
【発明の詳細な説明】
【技術分野】
【０００１】
この発明は、複数のＣＤやＤＶＤなどの記憶媒体ディスク（以下、単にディスクというときは同じ意味とする）を、同軸状態で、水平な軸方向へ微小の間隔をあけて整列し、収納する収納装置に関する。
【背景技術】
【０００２】
従来、ＣＤやＤＶＤなどのディスクを収納するものとしては、一枚または二枚を、ケースの内側についた突起へディスクの中心部の孔を押し込んで固定する、開閉式のプラスチックケースがディスク販売時より一般的である。そのほかには、一枚のディスクを袋に入れ、そのような袋が多数枚綴じられ、ブック状、あるいはアルバム状になったものなどがある。しかし、多数枚のディスクを収納するには厚さが大きくなり過ぎ、取り出すのにも不便である。
【０００３】
これに対して、多数のディスクを、立てた状態で収納する収納装置、すなわちディスクを同軸状態で、水平な軸方向へ整列して収納する収納装置が提案されている。例えば、下記の特許文献１には、箱状のケースの中に、立てた状態のディスクを保持する保持板が多数枚設けられ、各保持板は収納位置と、ケースの手前側へ前進した突出位置とをとることができる装置が提案されている。複数のディスクのうちから１枚を取り出すには、そのディスクが保持されている保持板を選んで前進させれば、そのディスクのみが突出した状態になり、容易に取り出せる。
このような装置によれば、多数枚のディスクを容易に収納し、取り出すのにも便利である。
【特許文献１】特開平09-301376
【発明の開示】
【発明が解決しようとする課題】
【０００４】
しかしながら、特許文献１の装置は、多数枚の保持板が前進後退可能に設けられなければならず、装置構成が複雑になり、製造コストも高くなる。
この発明は、以上の問題点を解決するために、装置構成がシンプルで製造コストを抑えることができ、容器として小さな容量ながら多数枚のディスクを収納し、目的のディスクの選択と取り出すのにも便利な記憶媒体ディスク収納装置を提供することを課題とする。
【課題を解決するための手段】
【０００５】
以上の課題を解決するために、第一発明は、複数のディスクを同軸状態で水平な軸方向へ微小の間隔をあけて整列させて収納する収納装置である。
整列したディスクは各々ディスク外周の上下端にあって直立を保持すると同時に独立して転がって移動できる上下の溝内に挿入され、その溝内を転がって溝の両端で停止するよう下溝に傾斜がつけられている。下溝をその上部に形成する下プレートの形状は、中央部に頂部を形成し、その両側は両端に向かって下降傾斜で、その下降傾斜に続き転がったディスクがプレートの端部で停止するよう、ディスクの外周を捕捉する湾曲形状を持つ立ち上がりが続き、プレートの両端に停止したディスクの軸間距離がディスクの半径以上あって、片側端部に停止しているディスクの中心部の孔が他方の端部に停止しているディスクによって塞がれない位置関係で、上溝は上プレートの下部に形成され、ディスクが下溝にあるあいだ終始その外周の上部を挟んで直立を支持し、その先端部にはプレートが連続しないスリットになって、上下プレートの先端におけるプレート間距離をディスクの直径以上にし、スリットをディスクが通過するのを妨げないことを特徴とする記憶媒体ディスク収納装置である。
【０００６】
第二発明は、更に、前記収納装置は、ディスクの出し入れを片側だけにしたもので、出し入れしない側では上プレートにスリットを設けないなど上下プレートの間隔がディスクの直径以下とすることを特徴とする記憶媒体ディスク収納装置である。
【０００７】
第三発明は、更に、前記収納装置は、筺体として構成し、ディスクを出し入れする側の一面を、その下方を開閉軸とする蓋とし、この蓋部の内面を前記下溝および傾斜部の一部または全部、およびディスクの転がりを停止させる湾曲部または立ち上がりをもつ下プレートで形成されることを特徴とする記憶媒体ディスク収納装置である。
【０００８】
第四発明は、更に、前期収納装置は、下プレートの先端にあってディスクの転がりが停止する湾曲部または立ち上がり部に連続しているハンドルで、このハンドルを手で下方に押し下げることでハンドルの反対側に停止しているディスクを保持している下プレートの傾斜を平坦あるいは下降傾斜にし、ディスクの前進動作を生じさせ、ハンドル側に移動させることができることを特徴とする記憶媒体ディスク収納装置である。
【０００９】
第５発明は、更に、前記収納装置は、上溝先端のスリットにあって、このスリットを塞ぐことでディスクの装置からの飛び出しを防ぐストッパー装置である。ディスクの出し入れ部は上下プレートの先端におけるプレート間距離がディスクの直径以上になるようスリットになっているが、このストッパーによりスリット部を塞いでディスク取り出しの開口距離をディスクの直径以下とし、ディスクがスリットを通過しないようにすることを特徴とする記憶媒体ディスク収納装置である。
【発明の効果】
【００１０】
第一発明によれば、各々のディスクは下溝の両端のどちらかで停止することになり、一方の停止位置にあるディスクは指または手で、全体または選択を目的とするディスクを含むディスク群を押せば下溝の頂部をのり越え、反対側の停止位置に転がって移動させることができる。装置全体をディスクの円周方向に傾けても同様にディスクは反対側の停止位置へ回転して移動する。
【００１１】
複数のディスクの中から目的の一枚を取り出すには、目的のディスクのラベル面を隠すようにその前面で障害となっている目的外のディスクを反対側に押し出しながら目的の一枚を探し、そのラベル面と共に露出されたディスク中心部の孔と外周部を指ではさんで持ち上げ、スリットを通過させて取り出す。
【００１２】
従来のような前進後退可能な保持板は無用であるから、装置構成がシンプルであり、製造コストを抑えることができる。また、容器として小さな容量ながら多数枚のディスクを収納でき、取り出すのにも便利である。加えて、終始ディスクの記録面に触れることなく出し入れおよび保管できることはデータの保護にも有効である。
なお、第一発明においてディスクの軸方向から見て左右どちらからでもディスクを取り出すことができるが、それは右利きの人でも左利きの人でも同様な動作で行えるものである。
【００１３】
第二発明によれば、下プレートの両端にあるディスクの停止位置のうち、片方のみディスクの出し入れに用いるもので、ディスクの取り出しをしない停止位置はディスクの保管位置となる。
【００１４】
更に、第三発明では、装置は第二発明が筺体になっており、開いた蓋部の内側には下溝を持つ傾斜部の一部または全部、及び転がりを停止する湾曲部または立ち上がり部をもつ下プレートが形成されている。蓋部を開くことで第一発明の機能を発揮し、蓋部を閉じることで、装置をコンパクトにし、収納時に埃などからディスクを守ることができるものである。
【００１５】
第四発明によれば、一方の停止位置にあるディスクを他方の停止位置に移動させるためのハンドルを設けたことで、ハンドルを押し下げることによりハンドルの反対側に停止しているディスクを保持している下プレートの傾斜を平坦あるいは下降傾斜にし、ディスクの前進動作を生じさせ、ハンドルを押し下げた側に移動させることができるものである。
【００１６】
更に、第５発明はディスクの装置への出し入れを制限するストッパーである。第一発明から第三発明にあって、収納しているディスクは取り出しの停止位置にあって上下の溝に挟まれるように自立しているが、下プレートの先端と上プレートの先端のプレート間距離がディスクの直径以上あることからディスクの取り出しが可能となっている。この可動式ストッパーが作用して上下プレート間の障害となってディスクがスリットを通過しないようにするもので、装置の移動時など不測の装置傾斜によるディスクの飛び出しを防ぐことができるものである。
【発明を実施するための最良の形態】
【００１７】
［第一実施形態］
【００１８】
この発明の第一実施形態を、図１に示す。
この装置１は、ＣＤやＤＶＤなどの記憶媒体ディスク３（以下、単にディスクというときは同じ意味とする）を立てた状態で収納する収納装置１である。すなわち、複数の記憶媒体ディスク３を同軸状態で水平な軸方向へほぼ重ねるような状態で整列し収納する。ただし、横になった軸方向へは微小の間隔をあけて収納するのでディスクどうしが接触することはない。この間隔は、上下の溝を構成する部材の厚さと、指でディスク１枚を押して回転移動させることの出来る範囲を検討して決定する。
【００１９】
図１（B）の断面図に示すとおり、収納ディスクの軸方向からみて装置はほぼ左右対称になっており、ディスク３は上下の溝内にあって左右に回転して移動することができる。下溝１７をもつ下プレート１１の左右両端はディスクを停止させ、保持するようにディスクの外周を捕捉する湾曲部２５、２６を形成している。このため、装置に収納されたディスク３は左右どちらかの停止位置に整列するのである。
この両端に停止したディスク３の軸間距離はディスクの半径以上であり、一方の停止位置にあるディスクの中心部の孔が他方に停止しているディスクによって塞がれない位置関係としている。
【００２０】
収納したディスクが下プレート１１の両端の停止位置に移動するよう、下溝１７をもった下プレート１１は中央に頂部１９とその両側に右傾斜部２１および左傾斜部２２、さらに転がったディスクが安定して停止し、ディスクの外周を補足する右湾曲部２５および左湾曲部２６が一体となって形成される。
【００２１】
上溝１５は、ディスク３が下溝内で移動するときも含め終始ディスクの外周上端を挟むように支持するが、上プレート９はその先端において下プレートとの距離がディスクの直径以上となるために上溝１５の先端より短くなることからスリット３１、３２となって一体で形成される。
【００２２】
装置１において、ディスク３を直接支える下プレート１１と、上プレート９を保持するメインフレーム５は四角形の枠である。これら上下プレート間距離はメインフレーム５への取り付けによって決定されるよう、メインフレーム下辺部８の内側に下プレート１１が、メインフレーム上辺部７の内側に上プレート９が設けられる。
【００２３】
（第一実施形態の作用効果）
この実施形態によれば、装置内に収納されているディスク３群から目的の一枚を取り出すには、目的のディスクの前面にあって障害となっているディスクを指で押して反対側へ移動させながら、目的のディスクのラベル面およびディスク中心部の孔を露出させ、その孔とディスクの外周部を指でつまみ、スリット３１，３２を通って取り出す。
すなわち、同軸で重なって収容されているディスクはラベル面およびディスク中心の孔も重なって隠れてしまうため、目的のディスクを探し出し、取り出すのが困難であるが、本装置では目的のディスクの前面にあって取り出しに障害となるディスクは反対側に軽い力で回転移動することにより、目的のディスクのラベル面を露出させ、加えて取り出しに用いるディスク中心部の孔を確保することが出来るのである。ディスクの中心部の孔と外周部を指の腹で挟んで持ち上げることで、記録面に指が触れることなく、容易に取り出すことができる。
なお左右対称のためディスクの出し入れは右利き、左利きを問わず同じような動作で行えるものである。
【００２４】
ディスクを収納する際は、取り出しの手順を逆に行うのであるが、挿入するディスクを取り出し時と同様にディスク中心部の孔と外周を指の腹で挟んで持ち、ディスクを収納する空いた溝の後方に挿入されているディスク表面をなぞるように上下の溝に挿入すれば簡単に行える。
【００２５】
以上のように、目的のディスクを選択し、取り出し位置に移動させるにあたり、ディスクは上下の溝内で回転して位置を変えることから、従来のような前進後退可能な保持板は無用で、装置構成がシンプルであり、よって、製造コストを抑えることができる。また、多数枚のディスクを収納でき、取り出すにも便利である。
【００２６】
［第二実施形態］
以上の第一実施形態の装置１では、装置が左右対称でディスク３は左右で出し入れができるが、図２に示す第二実施形態においては、出し入れは片側だけにし、もう片側は収容スペースの機能のみとしたもの。取り扱いは第一実施形態と同様である。
図１と同様の部分には、同じ符号を付す。
【００２７】
（第二実施形態の作用効果）
以上の第二実施形態によれば、ディスクの出し入れが片側に集中していることから、不測のディスク飛び出しに対応しやすい。
【００２８】
［第三実施形態］
図３に示す第三実施形態は、第二実施形態の外側を覆う筐体３５を形成し、ディスクの出し入れをする一面を下方の開閉軸により開閉する蓋部３７とするものである。更に、この蓋部３７の内面に、下溝１７および湾曲部２５を持つ下プレート１１の一部が形成され、蓋を開いている状態では第二実施形態と同じ機能を有する。
なお、図３において、図１と同様の部分には、同じ符号を付す。
【００２９】
（第三実施形態の作用効果）
以上の第三実施形態によれば、蓋を開いた状態では第二実施形態と同様の作用効果を発揮しながら、蓋を閉めた収納の状態では蓋が筐体内にあるディスクを固定し、かつ収納時のスペースをコンパクトにし、段重ねも可能である。加えて埃などからディスクを守ることができる。
【００３０】
［第四実施形態］
第一および第二実施形態において下プレート２５，２６の先端部にあって本体を円周方向に傾斜させることのできるハンドル４１、４２。例として第一実施形態にハンドル４１、４２を装着したものを示す。
なお、図４において、図１と同様の部分には、同じ符号を付す。
【００３１】
（第四実施形態の作用効果）
一方の停止位置に整列しているディスク全体を他方の停止位置に移動させるには、指でディスクを押すほか、装置をディスクの円周方向に傾けることが有効である。第四実施形態によれば、ハンドル４１、４２を押し下げることにより、押し下げられたハンドルの反対側にあるディスクは、ディスクを保持している下プレート２５、２６の傾斜が平坦もしくは下降傾斜となり、押された側の停止位置まで転がることになる。複数のディスクを一瞬に反対側に移動させるに有効な手段である。
【００３２】
［第五実施形態］
第５図（A）において、第一実施形態を例にとれば、ディスク３を取り出す上下プレート間距離の障害となるよう、メインフレーム上辺部７と、上プレート９の間に引き出し式ストッパー５１、５２を格納し、スリット上部に出し入れできるよう組み込み、ストッパーを引き出して作用させた状態ではプレート間距離の障害となって開口距離をディスク直径以下とさせる。図５において、ストッパー５３はストッパー５１をスリット上部に引き出した状態を示す。
なお、図５において、図１と同様の部分には、同じ符号を付す。
【００３３】
（第五実施形態の作用効果）
第一、第二実施形態において、本装置を、収納しているディスクの円周方向に必要以上に傾斜させると収納しているディスクが端部の湾曲部２５、２６を乗り越えて装置から飛び出してしまうことになる。
以上の第五実施形態によれば、このストッパーをスリット上部に引き出しておくことで、装置の移動時やディスクの選択時に間違って装置を必要以上に傾斜させ、ディスクを飛び出させてしまうことを防ぐことができる。
【図面の簡単な説明】
【００３４】
【図１】この発明の第一実施形態を示すもので、（Ａ）は斜視図、（Ｂ）は断面側面図である。
【図２】この発明の第二実施形態を示す断面側面図である。
【図３】この発明の第三実施形態を示すもので、（Ａ）は蓋部が閉じた状態の断面側面図、（Ｂ）は蓋部が開いた状態の断面側面図である。
【図４】この発明の第四実施形態を示す断面側面図である。
【図５】この発明の第五実施形態を示すもので、（Ａ）はストッパーを内臓している状態の断面側面図、（Ｂ）は右ストッパーを引き出した状態の斜視図である。
【符号の説明】
【００３５】
１…装置
３…ディスク
５…メインフレーム
７…メインフレーム上辺部
８…メインフレーム下辺部
９…上プレート
１１…下プレート
１５…上溝
１７…下溝
１９…頂部
２１…右後傾斜部
２２…左傾斜部
２５…右湾曲部
２６…左湾曲部
３１…右スリット部
３２…左スリット部
３５…筺体
３７…蓋部
４１…ハンドル
５１…格納されている右ストッパー
５２…格納されている左ストッパー
５３…引き出された右ストッパー
【図２】
2009179393.tif 000003
【図３】
2009179393.tif 000004
【図１】
2009179393.tif 000005
【図４】
2009179393.tif 000006
【図５】
2009179393.tif 000007